(57)【要約】【課題】構成体への加工を不要とし且つ構成体の広範囲にわたって付着したヤニを除去するヤニ除去装置を提供する。【解決手段】ヤニ除去装置１の位置付け手段３０によって配置手段２０が、ヤニ３の付着した構成体２の表面等に対して位置付けられると、配置手段２０によって配置された複数の光線照射手段１１が青色系の例えば青色、緑色等の波長からなる可視光線５を、構成体２の表面等に付着したヤニ３に照射する。そして、ヤニ３はその可視光線５を吸収するため、その吸収された光のエネルギーによりヤニ３を除去することができる。【選択図】図１
2008212767.tif 000002
【特許請求の範囲】
【請求項１】
構成体に付着したヤニを除去するヤニ除去装置において、
前記ヤニに吸収される青色系の波長の可視光線を照射する複数の光線照射手段と、
前記複数の光線照射手段を配置する配置手段と、
前記ヤニに前記複数の光線照射手段が照射可能なように、前記配置手段を前記構成体に対して位置付ける位置付け手段と、
を有することを特徴とするヤニ除去装置。
【請求項２】
前記位置付け手段は、複数の前記配置手段を前記構成体に対して位置付ける手段であることを特徴とする請求項１に記載のヤニ除去装置。
【請求項３】
前記配置手段を前記構成体に対して相対的に移動させる移動手段を有することを特徴とする請求項１又は２に記載のヤニ除去装置。
【請求項４】
前記移動手段は、前記位置付け手段が規定する所定の範囲内で、前記構成体に対して位置付けた前記配置手段を移動させる手段であることを特徴とする請求項３に記載のヤニ除去装置。
【請求項５】
前記位置付け手段は、前記構成体に吸着して前記ヤニ除去装置を固定する吸着部を有することを特徴とする請求項１〜４の何れか１項に記載のヤニ除去装置。
【請求項６】
前記位置付け手段は、前記吸着部を前記構造体に対して相対的に移動させる可動部を有することを特徴とする請求項５に記載のヤニ除去装置。
【発明の詳細な説明】
【技術分野】
【０００１】
本発明は、構成体に付着した煙草等のヤニを除去するヤニ除去装置等に関するものである。
【背景技術】
【０００２】
煙草等のヤニを除去する技術としては、例えば、空気調整装置の場合は超高圧洗浄による水洗い、車室内のシートの場合は高温（例えば１３０度等）のスチーム洗浄、壁の場合は洗浄剤やアンモニア水による洗浄、ステレオ製品の場合は無水アルコールによる拭き取り等が知られている。
【０００３】
先行文献１には、遊技機を構成する構成体の表面に光触媒層を設け、該光触媒層の表面で光触媒反応を進行させて、構成体に付着した煙草のヤニ等の有機質の汚れを分解し、また殺菌することで、遊技機の汚れを防止する技術思想が記載されている。また、特許文献２には、入力用マウスにおいて、外装ケースまたはスイッチ表面に光触媒を散布して、マウス表面に付着した煙草のヤニ、汗、その他の汚染物質を分解する技術思想が記載されている。
【特許文献１】特開平１１−１９２８１号公報
【特許文献２】特開平１１−１１９９０７号公報
【発明の開示】
【発明が解決しようとする課題】
【０００４】
しかしながら、上述した洗浄の場合は液体を使用するため、オーディオ等の電気製品関連や紙製のものには使用できず、また、洗剤を使用する場合は細かい凹凸の箇所までは除去できないという問題があった。
【０００５】
また、先行文献１，２に示すように光触媒を用いる場合、ヤニを除去する部分に予め光触媒膜を成膜しておく必要があり、現在使用できる光触媒材料、特に酸化チタンでは、紫外光を必要とする問題があった。さらに、ヤニが付着する製品の材料、特に合成樹脂系の表面に酸化チタンを高温成膜するのは困難であり、光触媒を成形する箇所は限定されてしまうという問題があった。
【０００６】
また、ヤニは構成体の表面等に広範囲にわたって付着するため、その全ての範囲からヤニを削除するのは困難であり且つ除去作業に膨大な時間が必要であった。特に、構成体が壁などの場合、除去作業を行うことが困難であった。このように本発明が解決しようとする課題は、上記した問題が一例として挙げられる。
【０００７】
よって本発明は、上述した問題点に鑑み、構成体への加工を不要とし且つ構成体の広範囲にわたって付着したヤニを除去するヤニ除去装置を提供することを課題としている。
【課題を解決するための手段】
【０００８】
上記課題を解決するため本発明によりなされた請求項１記載のヤニ除去装置は、構成体に付着したヤニを除去するヤニ除去装置において、前記ヤニに吸収される青色系の波長の可視光線を照射する複数の光線照射手段と、前記複数の光線照射手段を配置する配置手段と、前記ヤニに前記複数の光線照射手段が照射可能なように、前記配置手段を前記構成体に対して位置付ける位置付け手段と、を有することを特徴とする。
【発明を実施するための最良の形態】
【０００９】
以下、本発明に係るヤニ除去装置の一実施の形態を以下に説明する。
【００１０】
ヤニ除去装置は、構成体に付着したヤニを除去するヤニ除去装置において、前記ヤニに吸収される青色系の波長の可視光線を照射する複数の光線照射手段と、前記複数の光線照射手段を配置する配置手段と、前記ヤニに前記複数の光線照射手段が照射可能なように、前記配置手段を前記構成体に対して位置付ける位置付け手段と、を有している。
【００１１】
このようなヤニ除去装置によれば、位置付け手段によって配置手段が、ヤニの付着した構成体の表面等に対して位置付けられると、配置手段によって配置された複数の光線照射手段が青色系の例えば青色、緑色等の波長からなる可視光線を、構成体の表面等に付着したヤニに照射する。そして、ヤニはその可視光線を吸収するため、その吸収された光のエネルギーによりヤニが除去される。
【００１２】
よって、複数の光線照射手段を配置手段によって配置し、ヤニに複数の光線照射手段が照射可能なように配置手段を構成体に対して位置付けるようにしたことから、構成体の広範囲にわたって青色系の可視光線を照射することができるため、広範囲のヤニを効率的に除去することができる。また、青色系の波長からなる可視光線をヤニに照射させるだけで良く、従来のように構成体側に光触媒を予め成膜し、そこに紫外線を照射する機器も不要となるため、構成体の材質の自由度を大きくすることが可能となり、布、紙、電子機器のパネルなどあらゆるものに付着したヤニを除去することができる。また、光を照射するだけで良いため、構成体に形成された細かな凹凸部分に付着したヤニも除去することができる。よって、構成体への加工を不要とし且つ構成体の広範囲にわたって付着したヤニを除去するヤニ除去装置を提供することができる。
【００１３】
上述したヤニ除去装置において、前記位置付け手段は、複数の前記配置手段を前記構成体に対して位置付ける手段となっている。
【００１４】
このヤニ除去装置によれば、位置付け手段によって複数の配置手段を構成体に対して位置付けるようにしたことから、より一層広範囲のヤニに効率的に青色系の可視光線を照射することができるため、ヤニの除去作業の効率化を図ることができる。
【００１５】
上述したヤニ除去装置において、前記配置手段を前記構成体に対して相対的に移動させる移動手段を有している。
【００１６】
このヤニ除去装置によれば、複数の光線照射手段は移動手段によって構造体に対して相対的に移動するようにしたことから、可視光線を広範囲のヤニに集中して照射することができるため、広範囲に付着したヤニを効率的に順次除去することができる。
【００１７】
上述したヤニ除去装置において、前記移動手段は、前記位置付け手段が規定する所定の範囲内で、前記構成体に対して位置付けた前記配置手段を移動させる手段となっている。
【００１８】
このヤニ除去装置によれば、位置付け手段が規定する所定の範囲内で、構成体に対して位置付けられた配置手段を移動手段が移動させることから、所定の範囲をヤニの除去範囲として設定することができるため、構成体に対して効率的に移動させることができ、効率的なヤニ除去作業を行うことができる。
【００１９】
上述したヤニ除去装置において、前記位置付け手段は、前記構成体に吸着して前記ヤニ除去装置を固定する吸着部を有している。
【００２０】
このヤニ除去装置によれば、位置付け手段に吸着部を設けてヤニ除去装置を構成体に吸着させるようにしたことから、構成体が壁、天井等であっても、ヤニの除去作業を行うことができるため、構成体の適用範囲を向上させることができる。
【００２１】
上述したヤニ除去装置において、前記位置付け手段は、前記吸着部を前記構造体に対して相対的に移動させる可動部を有している。
【００２２】
このヤニ除去装置によれば、位置付け手段に吸着部を構造体に対して相対的に移動させる可動部を設けるようにしたことから、吸着部を可動部によって移動させることで、構成体が壁、天井等であってもヤニ除去装置を移動させることができるため、ヤニの除去作業の適用範囲を向上させることができる。
【実施例】
【００２３】
以下、上述した本発明のヤニ除去装置に係る実施例を、図１乃至図１１の図面を参照して説明する。
【００２４】
図１乃至図３において、ヤニ除去装置１は、照射部１０と、前記配置手段としての配置部２０と、前記位置付け手段としての位置付け部３０と、前記移動手段としての移動部４０と、を有している。ヤニ除去装置１は、カーステレオのフロントパネル２等の構成体に付着したヤニ３に対して青色系の波長の可視光線５を照射してヤニ３を除去する。
【００２５】
照射部１０は、前記光線照射手段としての複数の青色レーザ１１と、光源制御回路１２と、を有している。本実施例では、図３に示すように３５個の青色レーザ１１を用いる場合について説明するが、その個数は任意に設定することができる。
【００２６】
ここで、アクリル基板に煙草のヤニを付着させて、そのヤニの膜の部分における光吸収特性を測定した結果、図４に示す測定結果を得ることができた。なお、光吸収特性の測定方法としては、０．４５μｍ〜０．９μｍの範囲で波長を変化させて可視光線５を照射する照射装置を用いて、ヤニの膜に入射する光量とヤニの膜を透過した光の光量の差に基づいて光吸収率を求めている。
【００２７】
その結果、図４に示すように、波長が０．６μｍ以下の光を吸収することが確認できた。即ち、煙草のヤニは、青色、緑色に対応する波長の可視光線５を吸収していると追究することができた。そして、０．５〜０．５５μｍ付近の光吸収率が大きいことから、可視光線のうち、その波長帯域に対応した波長の可視光線５を用いることが効率的で有ると考えられる。
【００２８】
（試験）
次に、上述したヤニの光吸収率と黄ばみの変化との関係を検証するために、赤色ＬＥＤ、青色ＬＥＤ、青色ＬＤを用いて、構成体としてのアクリル基板上に付着された煙草のヤニ３に、それぞれの可視光線を照射することにより、アクリル基板上のヤニの変化を、所定時間毎に目視により評価する試験を行った。そして、評価環境は、２０℃、６５％ＲＨとした。評価結果は、以下の表１に示される。
【００２９】
各光源の照射パワーは、赤色ＬＥＤが０．８ｍＷ、青色ＬＥＤが２ｍＷ、青色ＬＤが１０ｍＷとなっている。また、各光源の波長は、赤色ＬＥＤが６５０ｎｍ、青色ＬＥＤが４７０ｎｍ、青色ＬＤが４０８ｎｍとなっている。そして、開始から０，２４，４８，７２，９６，２２７時間毎に評価を行った。但し、表１における評価の基準は、
○：ヤニの黄ばみに変化有り
×：ヤニの黄ばみに変化なし
とした。
【００３０】
【表１】
2008212767.tif 000003
【００３１】
表１を見ると、次のことが分かる。即ち、赤色の可視光線を照射した場合ではヤニの黄ばみに変化が無いのに対し、青色の可視光線５を照射した場合は約２４時間でヤニの黄ばみが変化し、その黄ばみはほぼ無色となっていた。即ち、ヤニが除去されたと考えられる。そして、赤色ＬＥＤと青色ＬＥＤとは照射パワーの比率で考えると、約２．５倍の差が有り、青色ＬＥＤの場合は２４時間で既に黄ばみの除去効果が観測されているにもかかわらず、赤色ＬＥＤは２２７時間後も黄ばみに変化は見られない。つまり、もし、赤色ＬＥＤで反応するので有れば、照射パワーの比率から見積もると、約６０時間後付近で変化は観測されなければならないはずである。
【００３２】
従って、ヤニの光吸収率の特性により、青色系の可視光線５を照射することで、ヤニを除去できるものと考えられる。この試験結果を考慮すると、青色レーザ１１は以下のように構成することができる。
【００３３】
青色レーザ１１は、青色のＬＤであり、図４の試験結果に基づいて、例えば波長が０．４０８μｍの可視光線５を出射する光線照射手段となっている。青色レーザ１１は、配置部２０に設けられた光源制御回路１２に電気的に接続されており、光源制御回路１２によって点灯、消灯が制御される。
【００３４】
なお、本実施例では、青色レーザ１１を用いる場合について説明するが、本発明はこれに限定するものではなく、青色ＬＥＤ、緑色の光源を単独で用いたり、青色ＬＥＤと緑色光源を組み合わせて用いる、通常の光源と波長が０．４〜０．６μｍの可視光線５のみを透過するフィルタを用いるなど種々異なる実施形態とすることができる。
【００３５】
光源制御回路１２は、外部からの要求に応じて青色レーザ１１を駆動させるとともに、図示しないモニタダイオードから入力されるフィードバック信号に基づいて、青色レーザ１１から出射される可視光線５の光量を安定化、調整している。
【００３６】
このように構成した照射部１０は、各青色レーザ１１から例えば波長が０．４０８μｍの可視光線５を出射されると、光量が均一となるように所定の照射領域Ｅを照射する。
【００３７】
配置部２０は、図３に示すように、ベース部材２１と、該ベース部材２１に設けられた複数の取付孔２２と、を有している。
【００３８】
ベース部材２１は、上述した照射領域Ｅに対応した略矩形箱状に形成しており、その内部は光源制御回路１２を収容して固定する構造となっている。取付孔２２は、上述した複数の青色レーザ１１の各々が、光源制御回路１２の組付に応じて外部に突出させる構造となっている。即ち、青色レーザ１１の個数に対応した数の取付孔２２がベース部材２１の一面に形成されている。
【００３９】
このように配置部２０は、複数の青色レーザ１１をフロントパネル２に対して配置することで、複数の青色レーザ１１からなる面光源モジュール化している。これにより、広範囲のヤニ３に青色レーザ１１からの青色系の可視光線５を照射できるようにしている。
【００４０】
位置付け部３０は、図１及び図２に示すように、搬送ベース部材３１と、複数（図２中では４つ）の伸縮部３２と、アーム部３３と、吸着部３４と、可動部３５と、を有している。なお、伸縮部３２、アーム部３３等の個数については、任意に設定することができる。
【００４１】
搬送ベース部材３１は、ベース部材２１よりも若干大きな平板状に合成樹脂等で形成しており、ベース部材２１が一面に取り付けられる。伸縮部３２の各々は、シリンダー３２ａと、該シリンダー３２ａの中で往復運動を行う往復部材３２ｂと、を有している。シリンダー３２ａは、その一端寄りが搬送ベース部材３１に可動部３５によって回動自在に固定されている。往復部材３２ｂのシリンダー３２ａの外部に突出した端部には、フロントパネル２に向かって伸びるアーム部３３が立設している。伸縮部３２は、駆動信号に応じて図示しない移動機構によって伸縮方向Ｍに伸縮制御が可能なものが用いられている。
【００４２】
アーム部３３は、略柱状、且つ、照射部１０、配置部２０等を保持することができる強度に形成されている。吸着部３４は、吸盤ゴムの戻る力で内部に真空を作り出す通常の吸盤や、テコがゴムを引っ張る力で内部に真空を作り出す強力吸盤等が用いられ、アーム部３３の端部に設けられている。なお、吸着部３４は、ヤニ除去装置１が壁や天井などのヤニ除去作業を行う場合、より強力な吸着部材で吸着部３４を構成することが好ましく、本実施例では制御信号によって吸着状態と吸着フリー状態の切替制御が可能なものを用いている。
【００４３】
可動部３５は、伸縮部３２の一端を回動自在に軸支しており、伸縮部３２等を任意の角度分だけ回動させることができる構造となっている。即ち、図示はしないモータと回動機構等を制御装置によって回動を制御することで、伸縮部３２等を任意の角度に位置付けることが可能な構成となっている。
【００４４】
例えば、図５（ａ）に示すように、４つの伸縮部３２の他端部、つまり吸着部３４の各々が位置Ｐ１，Ｐ２，Ｐ３，Ｐ４に位置しているときに、伸縮部３２を伸縮させることで、図５中のＹ方向に搬送ベース部材３１を移動させることができる。そして、図５中のＸ方向に移動させる場合、可動部３５を回動中心にして、伸縮部３２等を回動方向Ｒに向かって約９０度だけ回動させることで、図５（ｂ）に示すように、吸着部３４の各々がＰ１‘、Ｐ２’、Ｐ３‘、Ｐ４’に位置付けられる。
【００４５】
このように位置付け部３０を構成することで、アーム部３３の長さに応じたフロントパネル２から任意の位置に、配置部２０を位置付けることができる。即ち、アーム部３３の長さを任意に設定することで、任意フロントパネル２と配置部２０つまり照射部１０との間隔を設定することができる。
【００４６】
また、位置付け部３０に吸着部３４を、フロントパネル２に対して相対的に移動させる可動部３５を設けるようにしたことから、吸着部３４を可動部３５によって移動させることで、垂直なフロントパネル２であってもヤニ除去装置１を移動させることができるため、ヤニの除去作業の適用範囲を向上させることができる。
【００４７】
移動部４０は、複数（図２中では４つ）の車輪４１と、該車輪４１を回動自在に保持する車輪保持部４２と、を有している。車輪４１は、図示しない駆動機構によって所定の方向に回動する。車輪保持部４２は一端側で車輪４１を回動自在に保持すると共に、他端側が搬送ベース部材３１に固定されている。
【００４８】
このように移動部４０を構成することで、複数の車輪４１が伸縮部３２の伸縮方向Ｍに向かって回動すれば、該回動により車輪保持部４２も移動するため、該車輪保持部４２が固定された搬送ベース部材３１も移動することになる。そして、搬送ベース部材３１は、伸縮部３２に固定しているため、位置付け部３０の伸縮部３２の伸縮可能範囲で、フロントパネル２に対して位置付けられた配置部２０を伸縮方向Ｍに移動させることができる。
【００４９】
次に、上述したヤニ除去装置１の移動動作の一例を、図６の図面を参照して以下に説明する。なお、図６において、図５と同一の箇所には同一の符号を付している。
【００５０】
まず、図６中のＹ方向にヤニ除去装置１の搬送ベース部材３１つまり配置部２０を移動させる場合、図６（ａ）に示すように、ヤニ除去装置１はフロントパネル２に配置される。そして、Ｙ方向への移動が作業者等から要求されると、位置Ｐ１〜Ｐ４の吸着部３４の全てが吸着状態になると共に、照射部１０から青色系の可視光線５が、フロントパネル２の表面等に付着したヤニ３に対して照射される。そして、予め定められた可視光線５の照射終了等になると、位置Ｐ１，Ｐ２の吸着部３４の吸着をフリーに変化させ、それらに対応した伸縮部３２を伸ばさせることで、図６（ｂ）に示すように、アーム部３３はＹ方向に移動することになる。
【００５１】
位置Ｐ１，Ｐ２の吸着部３４を吸着状態且つ位置Ｐ３，Ｐ４の吸着部３４を吸着フリーに変化させ、移動部４０を駆動させてＹ方向に移動させることで、図６（ｃ）に示すように、搬送ベース部材３１がＹ方向に移動する。そして、この移動の終了に応じて位置Ｐ３，Ｐ４の吸着部３４を吸着状態に変化させる。このように搬送ベース部材３１つまり配置部２０がその大きさの約１／２分だけＹ方向に移動したことになる。
【００５２】
その後、位置Ｐ１，Ｐ２の吸着部３４の吸着をフリーに変化させ、それらに対応した伸縮部３２を伸ばさせることで、図６（ｄ）に示すように、アーム部３３はＹ方向に移動することになる。そして、位置Ｐ１，Ｐ２の吸着部３４を吸着状態且つ位置Ｐ３，Ｐ４の吸着部３４を吸着フリーに変化させ、移動部４０を駆動させてＹ方向に移動させることで、図６（ｅ）に示すように、搬送ベース部材３１がＹ方向に移動する。そして、この移動の終了に応じて位置Ｐ３，Ｐ４の吸着部３４を吸着状態に変化させる。このように搬送ベース部材３１つまり配置部２０がその大きさ１個分だけＹ方向に移動したことになる。
【００５３】
このような一連の動作を繰り返すことで、搬送ベース部材３１つまり配置部２０はＹ方向に向かって移動することになる。そして、Ｘ方向に移動させる場合は、図５で示すように収縮部３２をＸ方向に向けて回動させ、上述したように収縮部３２及び吸着部３４を制御することで、搬送ベース部材３１つまり配置部２０をＸ方向に移動させることができる。
【００５４】
このようにヤニ除去装置１は、位置付け部３０の伸縮部３２が規定する所定の範囲内で、フロントパネル２に対して位置付けられた配置部２０を移動部４０が移動させることから、所定の範囲をヤニ３の除去範囲として設定することができるため、フロントパネル２に対して効率的に移動させることができ、効率的なヤニ除去作業を行うことができる。
【００５５】
次に、上述した構成のヤニ除去装置１を用いて、カーステレオ等のフロントパネル２に付着したヤニ３に対して、図７に示すようにヤニ除去装置１を移動させ、その変化を明確にするために、その３箇所のみで照射部１０から青色系の可視光線５を照射した場合の動作（作用）の一例を、以下に説明する。
【００５６】
ヤニ除去装置１は、上述したようにフロントパネル２の領域Ｅ１、領域Ｅ２、領域Ｅ３の順に移動する。そして、その領域の各々で移動を停止し、その領域でのみ配置部２０によって配置された複数の青色レーザ１１を予め定められた照射時間に亘って発光させることで、照射部１０からヤニ３に向けて青色系の可視光線５を照射時間にわたって照射した。なお、その照射時間は、フロントパネル２に付着したヤニ３の濃さ等に応じて任意に定められる。
【００５７】
そして、可視光線５を照射する前のフロントパネル２の領域Ｅ１を拡大して撮像した図８においては、ヤニ３が付着して黄ばんだ部分とフロントパネル２の模様の部分が黒ずんだように示されている。そして、可視光線５を照射時間にわたって照射した後に、図８と同一部分を撮像した図９においては、ヤニ３が付着して黄ばんだ部分が無くなって、白に変化していることが確認できた。なお、他の領域Ｅ２，Ｅ３の各々についても同様の結果を確認できた。
【００５８】
即ち、青色系の可視光線５を照射することでヤニ３が除去されたことを示している。その結果、図７（ｂ）に示すように、各領域Ｅ１〜Ｅ３におけるヤニ３が除去されて、フロントパネル２の表面が露出した領域Ｃに変化したことを確認できた。従って、可視光線５が照射されたヤニ３は、その可視光線５を吸収するため、その吸収された光のエネルギーによりヤニ３が除去されたものと云える。
【００５９】
以上説明したヤニ除去装置１によれば、複数の青色レーザ１１を配置部２０によって配置し、ヤニに複数の青色レーザ１１が照射可能なように配置部２０をフロントパネル２に対して位置付けるようにしたことから、フロントパネル２の広範囲にわたって青色系の可視光線５を照射することができるため、広範囲のヤニ３を効率的に除去することができる。また、青色系の波長からなる可視光線５をヤニ３に照射させるだけで良く、従来のようにフロントパネル２側に光触媒を予め成膜し、そこに紫外線を照射する機器も不要となるため、フロントパネル２の材質の自由度を大きくすることが可能となり、布、紙、電子機器のパネルなどあらゆるものに付着したヤニ３を除去することができる。また、光を照射するだけで良いため、フロントパネル２に形成された細かな凹凸部分に付着したヤニ３も除去することができる。よって、フロントパネル２への加工を不要とし且つ構成体の広範囲にわたって付着したヤニを除去するヤニ除去装置１を提供することができる。
【００６０】
このヤニ除去装置１によれば、複数の青色レーザ１１は移動部４０によってフロントパネル２に対して相対的に移動するようにしたことから、可視光線５を広範囲のヤニ３に集中して照射することができるため、広範囲に付着したヤニを効率的に順次除去することができる。
【００６１】
このヤニ除去装置１によれば、位置付け部３０に吸着部３４を設けてヤニ除去装置１をフロントパネル２に吸着させるようにしたことから、フロントパネル２以外の壁、天井等の構成体であっても、ヤニの除去作業を行うことができるため、構成体の適用範囲を向上させることができる。
【００６２】
このように上述したヤニ除去装置１は、フロントパネル２などの合成樹脂からなる構成体以外にも、例えば、室内の壁等の人の手が届かない場所の構成体に青色系の可視光線５を照射するのに適している。
【００６３】
なお、上述したヤニ除去装置１では、位置付け部３０によって１つの配置部２０をフロントパネル２に対して位置付ける場合について説明したが、本発明はこれに限定するものではなく、例えば、図１０に示すように、複数（図１０中では４つ）の配置部２０を搬送ベース部材３１に取り付けることで、位置付け部３０によって複数の配置部２０をフロントパネル２に対して位置付けるなど種々異なる実施形態とすることができる。そして、そのような構成とすれば、より一層広範囲のヤニに効率的に青色系の可視光線を照射することができるため、ヤニの除去作業の効率化を図ることができる。
【００６４】
また、上述したヤニ除去装置１では、配置部２０を矩形状に形成する場合について説明したが、本発明はこれに限定するものではなく、例えば図１１に示すように略円形に配置部２０を形成するなど種々異なる実施形態とすることができる。また、それらを複数個の円形配置部を上述した搬送ベース部材３１に設けることもできる。
【００６５】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００６６】
【図１】本発明に係るヤニ除去装置の概略構成を説明するための図である。
【図２】図１のヤニ除去装置の上面を示す上面図である。
【図３】図１のヤニ除去装置における照射部及び配置部を説明するための図である。
【図４】ヤニに照射する可視光線の波長とヤニの光吸収率との関係を示すグラフである。
【図５】図１のヤニ除去装置における伸縮部の方向変更動作の一例を説明するための図である。
【図６】図１のヤニ除去装置における配置部の移動例を説明するための図である。
【図７】図１のヤニ除去装置が移動してヤニを除去した一例を説明するための図である。
【図８】図７中の領域Ｅ１内に青色系の可視光線を照射する前のヤニが付着した構成体を撮像した画像の拡大図である。
【図９】青色系の可視光線を照射した後に図８と同一の部分を撮像した画像の拡大図である。
【図１０】ヤニ除去装置において複数の配置部を用いた一例を説明するための図である。
【図１１】ヤニ除去装置における配置部の他の形状を説明するための図である。
【符号の説明】
【００６７】
１    ヤニ除去装置
２    フロントパネル（構成体）
３    ヤニ
５    可視光線
１０    照射部
１１    青色レーザ（光線照射手段）
２０    配置部（配置手段）
３０    位置付け部（位置付け手段）
３１    搬送ベース部材
３２    伸縮部
３３    アーム部
３４    吸着部
３５    可動部
４０    移動部（移動手段）
【図１】
2008212767.tif 000004
【図２】
2008212767.tif 000005
【図３】
2008212767.tif 000006
【図４】
2008212767.tif 000007
【図５】
2008212767.tif 000008
【図６】
2008212767.tif 000009
【図７】
2008212767.tif 000010
【図８】
2008212767.tif 000011
【図９】
2008212767.tif 000012
【図１０】
2008212767.tif 000013
【図１１】
2008212767.tif 000014